(57)【特許請求の範囲】
【請求項１】
シャワ口部の正面視外側に位置する部分に設けたシャワ散水孔から散水する通常のシャワ散水状態と前記シャワ散水孔よりも内側の突出部分に設けた内側散水孔から散水する状態とに切替え可能な切替弁を供給流路内に設けるとともに、前記内側散水孔を前記シャワ散水孔と交差する方向に向けて設けて、前記内側散水孔からはほぼ放射状に散水させるように構成してあるハンドシャワであって、
前記切替弁の弁体内に連通孔部を設けるとともに、
供給流路を所定の熱湯温度の熱湯が流れたときのみ前記熱湯を前記内側散水孔から散水させるための形状記憶合金部材と、熱湯温度未満ではその付勢力により前記シャワ散水孔から散水させるためのシャワ散水用のバネとが前記連通孔部を介して供給流路下流に向かってこの順で隣接設置されており、
前記シャワ散水孔から散水するシャワ散水状態では弁体によって閉塞される一方、供給流路と前記内側散水孔を連通させて前記熱湯を前記内側散水孔から散水させるための内側散水流路を設け、
また、前記内側散水孔から散水する状態では弁体によって閉塞される一方、供給流路と前記シャワ散水孔を連通させて前記シャワ散水孔から散水させるためのシャワ散水流路を設けてあることを特徴とするハンドシャワ。
【請求項２】
前記切替弁は、
供給流路を所定の熱湯温度の熱湯が流れたときに、前記形状記憶合金部材が供給流路の上流から下流に向かって伸長し前記連通孔部を介して前記シャワ散水用のバネの付勢力よりも大きな力で前記シャワ散水用のバネを押し縮めるとともに、前記内側散水流路が供給流路に連通するよう前記シャワ散水流路を閉塞する方向に弁体を移動させる一方、熱湯温度未満では、前記形状記憶合金部材は縮んだままで前記シャワ散水用のバネの付勢力により前記シャワ散水流路が供給流路に連通するよう前記内側散水流路を閉塞する方向に弁体を移動させるよう構成されている請求項１に記載のハンドシャワ。
【請求項３】
前記シャワ口部の正面視外側に位置する部分と前記突出部分が一体に形成されている請求項１または請求項２に記載のハンドシャワ。
【発明の詳細な説明】
【０００１】
【発明の属する技術分野】
この発明は、例えば浴室内で使用されるハンドシャワに関するものである。
【０００２】
【従来の技術および発明が解決しようとする課題】
従来この種のハンドシャワは、シャワ状態とマッサージ状態とに切替えできるものが一般的であり、寒い冬などにおいて浴室内を昇温する目的でマッサージ状態にて熱湯を散水させることがあるが、散水範囲が狭いため浴室内の温度上昇に時間がかかっていた。また、使用者が浴室の壁に設けたフックからシャワヘッドを取り外し、このシャワヘッドのシャワ口部を壁や天井や浴槽に向けて操作する必要があり、危険であった。
【０００３】
この発明は、シャワヘッドを取り外すことなくできるだけ早く浴室内を昇温できるハンドシャワを提供することを目的とする。
【０００４】
【課題を解決するための手段】
上記目的を達成するために、この発明は、シャワ口部の正面視外側に位置する部分に設けたシャワ散水孔から散水する通常のシャワ散水状態と前記シャワ散水孔よりも内側の突出部分に設けた内側散水孔から散水する状態とに切替え可能な切替弁を供給流路内に設けるとともに、前記内側散水孔を前記シャワ散水孔と交差する方向に向けて設けて、前記内側散水孔からはほぼ放射状に散水させるように構成してあるハンドシャワであって、
前記切替弁の弁体内に連通孔部を設けるとともに、
供給流路を所定の熱湯温度の熱湯が流れたときのみ前記熱湯を前記内側散水孔から散水させるための形状記憶合金部材と、熱湯温度未満ではその付勢力により前記シャワ散水孔から散水させるためのシャワ散水用のバネとが前記連通孔部を介して供給流路下流に向かってこの順で隣接設置されており、
前記シャワ散水孔から散水するシャワ散水状態では弁体によって閉塞される一方、供給流路と前記内側散水孔を連通させて前記熱湯を前記内側散水孔から散水させるための内側散水流路を設け、
また、前記内側散水孔から散水する状態では弁体によって閉塞される一方、供給流路と前記シャワ散水孔を連通させて前記シャワ散水孔から散水させるためのシャワ散水流路を設けてあることを特徴としている（請求項１）。
【０００５】
また、この発明は、前記切替弁は、
供給流路を所定の熱湯温度の熱湯が流れたときに、前記形状記憶合金部材が供給流路の上流から下流に向かって伸長し前記連通孔部を介して前記シャワ散水用のバネの付勢力よりも大きな力で前記シャワ散水用のバネを押し縮めるとともに、前記内側散水流路が供給流路に連通するよう前記シャワ散水流路を閉塞する方向に弁体を移動させる一方、熱湯温度未満では、前記形状記憶合金部材は縮んだままで前記シャワ散水用のバネの付勢力により前記シャワ散水流路が供給流路に連通するよう前記内側散水流路を閉塞する方向に弁体を移動させるよう構成されているのが好ましい（請求項２）。
【０００６】
【０００７】
【発明の実施の形態】
以下にこの発明の実施の形態について説明する。なお、この発明はそれによって限定されるものではない。
【０００８】
図１〜図３は、第１の参考例を示す。
【０００９】
まず、図１において、１は、湯の温度や吐水量の調整、シャワホースと吐水管へく切替えが簡単に行えるサーモ型湯水混合水栓で、例えば浴室２の壁３に、温度調整手段が組み込まれた水栓本体４が横置き水平状態で設置される。
【００１０】
前記水栓本体４は、筒状で、背面側に、湯接続管５を介して湯配管（図示せず）に連通する湯接続口部と、水接続管６を介して水配管（図示せず）に連通する水接続口部を有する。また、水栓本体４は、下側中央位置に、水、湯、または混合水の吐水管接続口部７を有するとともに、背面側中央位置に、シャワーホース接続口部を有する。更に、水栓本体４は、一端に、水温にしたり、湯温にしたり、あるいは混合水の温度調節を行うハンドル８が設けられている。９は、切替ハンドルで、その操作により、吐水と止水状態の切替えを行ったり、水、湯、または混合水を、吐水管１０側またはシャワーホース１１側に切り替えて供給するように構成されている。１２は、ハンドシャワのシャワヘッドで、シャワーホース１１の下流端に接続され、把持部１２ａを有する。シャワヘッド１２は、浴室２の壁３に設けたフック５０に取り付けられる。
【００１１】
以下、この参考例について説明する。
図１〜図３において、１３は、ハンドシャワのシャワ口部で、正面視円形でディスク状のシャワ板１４と、このシャワ板１４が嵌込まれたリング状の回転枠体１５とよりなる。この回転枠体１５は、二つの異なる散水状態に切替えるときに操作されるもので、切替え時にはシャワ板１４とともに回転する。
【００１２】
前記シャワ板１４は、正面視外側に位置し、平坦面Ｆを有する環状の部分１６と、これより内側に位置する突出部分１７とよりなる。この実施形態では前記正面視外側に位置する環状の部分１６（以下、外側部分という）と前記突出部分１７は一体に形成されている。
【００１３】
前記突出部分１７は、有底筒状で、内部に後述する羽根車２８を収容する収容空間を有する。突出部分１７の上面１７ａは、前記平坦面Ｆより外側に長さＡだけ突出している。そして、上面１７ａおよび平坦面Ｆ間に位置する突出部分１７の胴部１８（図３参照）には、散水範囲を広くするため全周にわたり複数の内側散水孔１９が設けられている。
【００１４】
２０は、前記外側部分１６に設けた複数のシャワ散水孔で、通常のシャワ散水状態が可能である。
【００１５】
上述のように、散水範囲を広くするため前記内側散水孔１９を前記シャワ散水孔２０と交差する方向に向けて設けてある。図１に示すように、前記内側散水孔１９からはシャワ板１４の径方向に沿ってほぼ放射状で、突出部分１７の胴部１８全周にわたり散水するように構成してある。
【００１６】
２２は、吐水用の開口部で、湯水混合水栓１にシャワーホース１１を介して接続されるシャワヘッド１２の正面からみて前面に設けてある。この開口部２２内には固定ディスク２３が固定設置されている。
【００１７】
前記固定ディスク２３は、一方に開口３０を有する有底筒状で、シャワヘッド１２に設けた流通孔３１を介して供給流路Ｓに連通する一対の導入孔２４，２４を有する。
【００１８】
２５は、弁座部材で、前記固定ディスク２３上に摺動自在に載置されている。弁座部材２５は、一方に開口３２を有する有底筒状で、底部に一対の孔２６，２６を有する。この孔２６，２６は、前記内側散水孔１９からの散水時において前記導入孔２４，２４に整合される。
【００１９】
すなわち、シャワ口部１３を内側散水孔１９からほぼ放射状に散水させる状態にシャワ板１４を切替え操作すると、固定ディスク２３の導入孔２４に弁座部材２５の孔２６が整合し、この孔２６を通った湯水が、下流に設けた一対の翼を有する渦巻翼２７を通過した時点で一方向に回転する渦巻状になって円板状の羽根車２８を回転させながら、羽根車２８の回転中心軸のまわりに形成された連通孔２９を通って内側散水孔１９からシャワ散水孔２０と交差する方向に向けてほぼ放射状で、突出部分１７の胴部１８全周にわたり散水する。
【００２０】
前記渦巻翼２７は、前記弁座部材２５内に嵌挿され、かつ、係止されるもので、羽根車２８の回転中心軸７０に差し込まれた同軸の状態で位置する。前記渦巻翼２７は、一方向に回転する渦巻状の湯水によって円板状の羽根車２８を回転し易くさせるためのものである。
【００２１】
前記羽根車２８は、渦巻翼２７の中心支持軸部によって回転可能に支持される。
【００２２】
前記固定ディスク２３、弁座部材２５、渦巻翼２７および羽根車２８は公知のものを使用しており（特願２０００−１３９７７８号明細書、図面参照）、シャワ板１４の切替え操作に連動するこれらの部材２３，２５，２７，２８からハンドシャワの散水機構を構成している。
【００２３】
而して、シャワヘッド１２を、浴室２の壁３に設けたフック５０に正面向きに取り付けた状態で、切替ハンドル９をシャワーホース１１側に切り替え、切替ハンドル９を熱湯の位置にセットするだけで、熱湯の散水は、スプリンクラーのように四方へ散水できることになり、事前に熱湯を浴室２内のいたる所に散水させることができる。これにより、散水範囲を広くできて効率よく熱湯を浴室２内で散水でき、浴室２内の昇温時間を短縮できる。
【００２４】
また、シャワヘッド１２をフック５０に取り付けたままで広い範囲にわたって散水でき使用者が操作する必要はないので、熱湯がかからず安全である。
【００２５】
図４は、シャワ板１４の外側部分１６’と突出部分１７’を別体に形成し、更に、前記突出部分１７’をシャワ板１４の中心軸７０まわりに回転するよう構成した第２の参考例を示す。なお、図４において、図１〜図３で示した符号と同一のものは同一または相当物である。
【００２６】
図４において、４０は、シャワ板１４の突出部分１７’と羽根車２８を連結するためのビスである。これにより、突出部分１７’の内側散水孔１９からほぼ放射状に散水させる状態にシャワ口部１３の回転枠体１５を切替え操作すると、固定ディスク２３の導入孔２４に弁座部材２５の孔２６が整合し、この孔２６を通った熱湯が、下流に設けた一対の翼を有する渦巻翼２７を通過した時点で一方向に回転する渦巻状になって円板状の羽根車２８が回転すると共に、突出部分１７’も羽根車２８と同時に回転することになる。そして、熱湯が、羽根車２８の回転中心軸７０のまわりに形成された連通孔２９を通って内側散水孔１９からシャワ散水孔２０と交差する方向に向けてほぼ放射状で、突出部分１７の胴部１８全周にわたり散水する。
【００２７】
この参考例では、上記第１の参考例とは異なり、突出部分１７’と共に内側散水孔１９も回転中心軸７０まわりに回転するので、散水範囲を広くしながら、熱湯を浴室２内にまんべんなく散水でき、浴室２内の保温時間を更に短縮できる。
【００２８】
１７’ａは、突出部分１７’の上面を示し、突出部分１７’は、外側部分１６’の平坦面Ｆ’より外側に長さＡだけ突出している。
【００２９】
なお、前記突出部分１７’を出没可能に構成してもよい。すなわち、シャワ散水状態では突出部分１７’の上面１７’ａがシャワ板１４の外側部分１６’の平坦面Ｆ’と面一になるよう前記突出部分１７’を位置させる一方、内側散水孔１９からほぼ放射状に散水させる状態にシャワ口部１３の回転枠体１５を切替え操作すると、前記突出部分１７’が突出するよう構成する。
【００３０】
図５は、熱湯が流れたときのみ熱湯を前記内側散水孔１９から散水させるための形状記憶合金部材５１を有する切替弁５２を備えたこの発明の一実施形態を示す。なお、図５において、図１〜図４で示した符号と同一のものは同一または相当物である。
【００３１】
上記各参考例では異なる散水状態の切り換えをシャワ口部１３の回転操作により行っていたが、この実施形態では、シャワ口部１３’は固定されており、異なる散水状態の切り換えはバネ状の形状記憶合金部材５１が行う。
【００３２】
図５において、ハンドシャワ５３は、シャワ口部１３’の外側部分１６に設けた外側散水孔２０から散水する通常のシャワ散水状態と前記外側部分１６よりも内側の突出部分１７に設けた内側散水孔１９から散水する状態とに切替え可能で、前記内側散水孔１９を前記シャワ散水孔２０と交差する方向に向けて設けて、前記内側散水孔１９からはほぼ放射状で、突出部分１７の胴部１８ａ全周にわたり散水させるように構成してある。
【００３３】
すなわち、シャワ口部１３’とシャワヘッド１２’は一体に形成されており、前記シャワ口部１３’は、正面視円形のシャワ板１４’よりなる。
【００３４】
前記シャワ板１４’は、外側部分（正面視外側に位置する部分）１６と内側の突出部分１７とよりなる。
【００３５】
前記突出部分１７は、有底筒状で、内部に羽根車２８を収容する収容空間を有する。突出部分１７の上面１７ａは、外周部分１６の表面１６ａより外側に突出している。そして、上面１７ａおよび、外周部分１６の表面間に位置する突出部分１７の胴部１８ａには、散水範囲を広くするため胴部１８ａ全周にわたり複数の内側散水孔１９が設けられている。
【００３６】
複数のシャワ散水孔２０は前記外側部分１６に設けられており、通常のシャワ散水状態が可能である。
【００３７】
散水機構は以下の通りである。
【００３８】
すなわち、シャワヘッド１２’に設けた流通孔３１を介して供給流路Ｓから熱湯が供給され所定の熱湯温度になると、形状記憶合金部材５１が横方向（Ｄ方向）に伸長し、弁体５６の中央位置に設けた連通孔部５４を介して隣接設置されたシャワ散水用のバネ５５の付勢力よりも大きな力でバネ５５を押し縮めるとともに、弁体５６がＤ方向に移動する。そのため、弁体５６によって閉塞されていた内側散水流路Ｓ’と供給流路Ｓが連通し、内側散水流路Ｓ’の熱湯が、下流に設けた一対の翼を有する渦巻翼２７を通過した時点で一方向に回転する渦巻状になって円板状の羽根車２８を回転させながら、羽根車２８の回転中心軸のまわりに形成された連通孔２９を通って内側散水孔１９からシャワ散水孔２０と交差する方向に向けてほぼ放射状で、突出部分１７の胴部１８ａ全周にわたり散水する。
【００３９】
一方、供給流路Ｓに供給される混合水が所定の熱湯温度未満では、形状記憶合金部材５１は縮んだままでシャワ散水用のバネ５５の付勢力によりシャワ散水流路Ｓ’’が供給流路Ｓに連通する。これにより、シャワ散水孔２０から散水する。
【００４０】
そして、前記バネ状の形状記憶合金部材５１、シャワ散水用のバネ５５および弁体５６から切替弁５２が構成されている。
【００４１】
これにより、上記各参考例と同様に、散水範囲を広くできて効率よく熱湯を浴室内で散水でき、浴室内の昇温時間を短縮できる。
【００４２】
また、シャワヘッド１２’を浴室の壁に設けたフックに取り付けたままで広い範囲にわたって散水でき使用者が操作する必要はないので、熱湯がかからず安全である。
【００４３】
図６は、シャワ口部１３’の正面Ｍに設けた複数のシャワ散水孔６０から散水する通常のシャワ散水状態とシャワ口部１３’の外周面Ｎに設けた複数の散水孔６１から放射状に散水する状態とに切替え可能に構成されている第３の参考例を示す。なお、図６において、図１〜図５で示した符号と同一のものは同一または相当物である。
【００４４】
図６において、ハンドシャワＨのシャワ口部１３’は、正面視円形でディスク状のシャワ板１４’と、このシャワ板１４’が嵌込まれたリング状の回転枠体１５’とよりなる。この回転枠体１５’は、二つの異なる散水状態に切替えるときに操作されるもので、切替え時にはシャワ板１４’とともに回転する。
【００４５】
前記シャワ板１４’は、正面視円形で、多数のシャワ散水孔６０を有する。また、前記回転枠体１５’は、複数の散水孔６１を外周面Ｎ全周にわたり有する。
【００４６】
なお、この参考例では、シャワ板１４’の切替え操作に連動するハンドシャワＨの散水機構は、上記第１の参考例で用いたものと同一の構成を採用している。
【００４７】
而して、シャワヘッド１２を、浴室の壁に設けたフックに正面向きに取り付けた状態で、サーモ型湯水混合水栓に設けた切替ハンドル９（図１参照）をシャワーホース１１側に切り替え、切替ハンドル９を熱湯の位置にセットし、シャワ口部１３’をシャワ散水状態から切り替えるだけで、散水孔６１から放射状で、回転枠体１５’の外周面Ｎ全周にわたりに熱湯が散水することになり、事前に熱湯を浴室内のいたる所に散水させることができる。これにより、散水範囲を広くできて効率よく熱湯を浴室内で散水でき、浴室内の昇温時間を短縮できる。
【００４８】
また、シャワヘッド１２を前記フックに取り付けたままで広い範囲にわたって散水でき使用者が操作する必要はないので、熱湯がかからず安全である。
【００４９】
なお、この発明は、内側散水孔１９からシャワ散水孔２０と交差する方向に向けてほぼ放射状で、突出部分１７の胴部１８ａ全周にわたり散水される熱湯を利用して浴室２の洗浄を短時間で行える利点を有する。すなわち、短時間で浴室２内に熱湯を散水でき、あるいは浴室２の洗浄を行える。
【００５０】
【発明の効果】
以上説明したようにこの発明は、シャワヘッドを取り外すことなくできるだけ早く浴室内を昇温できるハンドシャワを提供することができる。
【図面の簡単な説明】
【図１】    第１の参考例のハンドシャワの使用の状態を示す斜視図である。
【図２】    上記参考例におけるシャワヘッドの内部を示す構成説明図である。
【図３】    上記参考例におけるシャワ口部を示す側面図である。
【図４】    第２の参考例のシャワヘッドの内部を示す構成説明図である。
【図５】    この発明の一実施形態のシャワヘッドの内部を示す構成説明図である。
【図６】    第３の参考例を示す斜視図である。
【符号の説明】
１３’…シャワ口部、１６…外周部分、１７…突出部分、１９…内側散水孔、２０…シャワ散水孔、５１…形状記憶合金部材、５２…切替弁、５３…ハンドシャワ、５４…連通孔部、５５…シャワ散水用のバネ、５６…弁体、Ｓ…供給流路、Ｓ’…内側散水流路、Ｓ’’…シャワ散水流路。
【図１】
0004491173.tif 000002
【図２】
0004491173.tif 000003
【図３】
0004491173.tif 000004
【図４】
0004491173.tif 000005
【図５】
0004491173.tif 000006
【図６】
0004491173.tif 000007